(57)【要約】【課題】  従来、ターンテーブルの緊急時の停止機構は、ケーシングに設けたモーターの出力軸に固止した回転板と、回転板上にベアリングを介して載せ台を設け、回転板の回転を、ベアリングを介して、載せ台に伝達し、かつ回転伝達を、ベアリングの内外レースの上下差による空間を利用し、遮断可能とする構成である。この構成を進化させるのが、本願発明で、地震、各種の衝撃等の際に、妄りに移動しない構造とする。【解決手段】  ケーシングのモーターの出力軸に回転板を固定し、回転板の上にベアリングを介在して載せ台を設け、回転板の回転を、ベアリングを介して、載せ台に伝達するとともに、回転伝達を、ベアリングの内外レースの上下差による空間を利用し、遮断可能とするターンテーブルにおいて、回転駒の空胴部と、ケーシングとの摩擦回避、又は熱の放散促進を図る。【選択図】      図１
2012223450.tif 000002
【特許請求の範囲】
【請求項１】
ケーシングに設けたモーターの出力軸に、回転駒を介在して回転板を固定し、この回転板の上にベアリングを介在して載せ台を設け、この回転板の回転を、前記ベアリングを介して、前記載せ台に伝達するとともに、この回転伝達を、このベアリングの内外レースの上下差による空間を利用し、遮断可能とする構成としたターンテーブルにおいて、
前記ケーシングの上面に設けた回転駒の下面ベースに、回転板の嵌合孔を嵌合し、この回転板を、このケーシングの上面に、回転自在に架承するとともに、この下面ベースの内部に設けた空胴部で、この回転駒と前記ケーシングの間の隙間を形成し、また、この回転駒の上面ベースの内部に設けた空胴部と、前記載せ台と前記回転板との間に形成された空間部とを連ねる構造としたターンテーブル。
【請求項２】
請求項１に記載のターンテーブルにおいて、
前記ケーシングの下面の環状鍔部に、防滑用の被膜層を設ける構成としたターンテーブル。
【請求項３】
請求項１に記載のターンテーブルにおいて、
前記隙間と、前記ケーシングの上面に設けた、前記モーターの出力軸用の開口とを連通する構成としたターンテーブル。
【請求項４】
請求項１に記載のターンテーブルにおいて、
前記載せ台には、二重の環状収容部を備えた多目的ケースを設け、このケースの収容部に、水と金魚・魚、虫、又は、花、装飾品、展示品を収容する構成としたターンテーブル。
【請求項５】
請求項１に記載のターンテーブルにおいて、
前記回転駒は、アルミニューム、鉄でなる金属製の本体部と、この本体部を囲繞し、かつその下面ベースの内部に空胴部を、またその上面ベースの内部に空胴部を、それぞれ形成し、この空胴部には、本体部が膨出形成される構成としたターンテーブル。
【請求項６】
請求項１、又は請求項４に記載のターンテーブルにおいて、
前記ケーシング、回転板、及びケースを樹脂で形成する構成としたターンテーブル。
【発明の詳細な説明】
【技術分野】
【０００１】
本発明は、ターンテーブル（ラウンドテーブル、回転テーブル）に関する。
【背景技術】
【０００２】
この種のターンテーブルは、商品用陳列台・鑑賞用展示台（展示物テーブル）、又はショーウィンドウ展示台・看板用展示台・回転イルミネーション展示台（展示台テーブル）とか、ワーク作業台・塗装作業台（作業テーブル）、又は料理品と食材用載置台（載せ台）として重宝される。しかし、この種のターンテーブルは、安全性、防滑性、又は回転で発生する熱の放散等に対して考慮がないのが現況である。
【０００３】
しかしながら、このターンテーブルは、前述の如く、展示物テーブルとか、作業用テーブル等に於いては、回転する展示品への接触による事故、又は不可抗力による負荷とか、異常な荷重（トルク）があっても、テーブルが回転し続ける問題点が指摘されている。また、ターンテーブルが、地震、各種の衝撃等の際に、妄りに移動すると、思わぬ二次災害を生ずる恐れがあり、その対応が要望される処である。
【０００４】
以上のことから、回転する展示品への接触した場合の安全策とか、また、展示品の落下防止と、ワーク転倒防止、又は事故による巻込み防止等を回避することが望ましい。その一例が、異常時に、速やかに、ターンテーブルの回転を停止し、前記各種の事故回避と、展示品の損傷防止等を図ることが望ましい。また、ターンテーブルが、地震、各種の衝撃等の際に、妄りに移動しない構造（盲動防止）とすることが望まれる。さらには、この異常の発生を予め発見する手段、又は展示物の変化を見識し、早急な対応が図れることが最適である。
【０００５】
前述したターンテーブルの役割を担い、事故を未然に防止する構造を、先行文献の中から列挙するとともに、本発明との相違点を説明する。
【０００６】
文献（１）は、本出願人が提案する、実用新案登録第３１６２７７８号の「ターンテーブル」がある。この考案は、ケーシングに設けたモーターの出力軸に回転板を固定し、この回転板上にベアリングを付設した載せ台を設け、回転板の回転を、ベアリングを介して、載せ台に伝達するとともに、回転伝達を、ベアリングの内外レースの上下差による空間を利用し、遮断可能とする構成としたターンテーブルである。
【０００７】
この考案により、回転板、または展示物等に、余分のトルク、又は荷重が掛かった場合は、回転板が停止する構造であり、従来の問題点、即ち、回転板に起因する事故は回避できる。しかし、ターンテーブルが、地震、各種の衝撃等の際に、妄りに移動しない構造（盲動防止）でない。従って、例えば、緊急時と、衝撃があった時に妄動する恐れと、転倒すること等、安定性の確保において、改良の余地がある。
【０００８】
また、文献（２）は、実開昭６２−１１６９２２号の「回転テーブル」がある。この考案は、回転テーブルにおいて、基台に対して、回転盤と、回転トップ（回転テーブル）を低所形とするために、基台と回転盤とを固定する止め具を、この基台と回転盤とで構成する陥没部に設ける構造である。従って、回転盤に、余分のトルク、又は荷重が掛かった場合においても、回転板は停止しないので、回転板に起因する事故は回避できない。また、基台と回転盤との間に、隙間を設け、回転で発生する熱の放散を図る構造でない。さらに盲動防止に関する配慮がない。
【０００９】
文献（３）は、実開昭６２−１６９６３６号の「コンピュータ機器用机」であり、天板に設けた対の円形レールと、多数の球体とにより回転板を設置し、回転板の上に、前後動する台板を設け、台板の上に、コンピュータ機器を設置する構造である。この構造により、コンピュータ機器を、使用者に最適な位置にセットする。しかし、この考案は、回転板の回転を、対の円形レールと、多数の球体とで確保する構造である。従って、この回転板に、余分のトルク、又は荷重が掛かった場合でも、回転板は停止しないので、回転板に起因する事故は回避できない。この机の盲動防止は図れない問題点が挙げられる。
【００１０】
また、文献（４）は、実開昭６３−５７９５２号の「レジスター回転台」であり、支持台に埋設設置した複数個のベアリング軸受けを介して、回転台を軸支し、回転台に載架されたレジスターを、少なくとも、二方向から利用を可能とする構造である。しかし、この考案は、回転台の回転は、ベアリング軸受けを利用する構造である。従って、回転台に、余分のトルク、又は荷重が掛かった場合においても、回転板は停止しないので、回転板に起因する事故は回避できない。その他の問題点は同じと考えられる。
【００１１】
【特許文献１】実用新案登録第３１６２７７８号
【特許文献２】実開昭６２−１１６９２２号
【特許文献３】実開昭６２−１６９６３６号
【特許文献４】実開昭６３−５７９５２号
【発明の概要】
【発明が解決しようとする課題】
【００１２】
そこで、本願発明は、下記の特性と有益性等を発揮すること意図する。
「イ」  回転駒の上下面ベースに、空洞部を形成することで、摩擦面積の減少化と、空気の流通を利用して、熱の放散を図ること、等を意図する。
「ロ」  安全装置は、トルクリミッターとしての役割と、載せ台にスリップ特性を発揮できる構造、即ち、この載せ台の裏面側に、転がり軸受け（ベアリング機構）を採用し、この載せ台、及び／又は、ケースに対する荷重が、決められた以上になると、この転がり軸受けが働き、当該載せ台の回転が止まり、安全を確保する。
「ハ」  ケーシングの下面の環状鍔部に、防滑用の被膜層を設ける構成とし、回転板に、余分のトルク、又は荷重が掛かった場合においても、回転板は停止しないので、回転板に起因する事故の回避を意図する。例えば、この被膜層は、ショーアーゴム硬度６５度Ａスケールを、環状鍔部、又はその底面に、０．３〜０．５ｍｍの厚みのスプレーウレタンコーティング施工することで、摩擦力増大と、耐震性能の発揮を意図する。そして、コーティングなしの場合と比べると１０倍の安全性が計算できる特性の達成を意図する。尚、この意図は、同様に、載せ台とケースに対しても可能とする。
「ニ」  使用目的により移動し易く、又は分解、組付けが、簡単かつ容易であり、さらに多様化を図ること、又は必要により、回転・速度等の制御の遠隔化を図ること、等を意図する。
「ホ」  装置全体は、樹脂等の軽量材料（装置全体の重量比で、略９０％）で形成し、軽量化と持運びの容易化と、コストの低廉化を図ることを意図する。そして、また、回転板の回転・速度等の制御において、回転変速・目標設定回転を、例えば、ダイヤル式を採用し、装置と操作の簡素化・時間設定の容易化を図ること、又は必要により、この時間設定は、４段階のタイマーを使用し、簡便化と、誤操作を回避すること、等を意図する。
「へ」  ＯＮ、ＯＦＦ、又は速度等の制御装置を、ケーシングより分離し、壁掛け方式、携帯方式、或いは遠隔方式等とすることで、例えば、遠隔・延長を可能とすること、或いはコンパクトに操作ができること、自動運転を図ること、等により利用分野を拡充することを意図する。
「ト」  モーターと制御装置を繋ぐ電気配線・結合部は、ワンタッチコネクターを使用して簡素化を図りつつ、施工安全性を確保すること、等を意図する。
「チ」  ケーシング、ケース等の形状を、丸形、角形、その他の形状とし、利用分野を拡充と、多様化を図ることを意図する。
【課題を解決するための手段】
【００１３】
請求項１の発明は、前記「イ」と「ロ」、並びに「へ」を目的とする。
【００１４】
請求項１は、ケーシングに設けたモーターの出力軸に、回転駒を介在して回転板を固定し、この回転板の上にベアリングを介在して載せ台を設け、この回転板の回転を、前記ベアリングを介して、前記載せ台に伝達するとともに、この回転伝達を、このベアリングの内外レースの上下差による空間を利用し、遮断可能とする構成としたターンテーブルにおいて、
前記ケーシングの上面に設けた回転駒の下面ベースに、回転板の嵌合孔を嵌合し、この回転板を、このケーシングの上面に、回転自在に架承するとともに、この下面ベースの内部に設けた空胴部で、この回転駒と前記ケーシングの間の隙間を形成し、また、この回転駒の上面ベースの内部に設けた空胴部と、前記載せ台と前記回転板との間に形成された空間部とを連ねる構造としたターンテーブルである。
【００１５】
請求項２の発明は、前記「イ」と「ロ」、並びに「へ」に併せて、「ハ」を目的とする。
【００１６】
請求項２は、請求項１に記載のターンテーブルにおいて、
前記ケーシングの下面の環状鍔部に、防滑用の被膜層を設ける構成としたターンテーブルである。
【００１７】
請求項３の発明は、前記「イ」と「ロ」、並びに「へ」に併せて、「ト」を目的とする。
【００１８】
請求項３は、請求項１に記載のターンテーブルにおいて、
前記隙間と、前記ケーシングの上面に設けた、前記モーターの出力軸用の開口とを連通する構成としたターンテーブルである。
【００１９】
請求項４の発明は、前記「イ」と「ロ」、並びに「へ」に併せて、「チ」を目的とする。
【００２０】
請求項４は、請求項１に記載のターンテーブルにおいて、
前記載せ台には、二重の環状収容部を備えた多目的ケースを設け、このケースの収容部に、水と金魚・魚、虫、又は、花、装飾品、展示品を収容する構成としたターンテーブルである。
【００２１】
請求項５の発明は、前記「イ」と「ロ」、並びに「へ」を目的とする。
【００２２】
請求項５は、請求項１に記載のターンテーブルにおいて、
前記回転駒は、アルミニューム、鉄でなる金属製の本体部と、この本体部を囲繞し、かつその下面ベースの内部に空胴部を、またその上面ベースの内部に空胴部を、それぞれ形成し、この空胴部には、本体部が膨出形成される構成としたターンテーブルである。
【００２３】
請求項６の発明は、前記「イ」と「ロ」、並びに「へ」に併せて、「ニ」と「ホ」を目的とする。
【００２４】
請求項６は、請求項１、又は請求項４に記載のターンテーブルにおいて、
前記ケーシング、回転板、及びケースを樹脂で形成する構成としたターンテーブルである。
【発明の効果】
【００２５】
請求項１の発明は、ケーシングに設けたモーターの出力軸に、回転駒を介在して回転板を固定し、回転板の上にベアリングを介在して載せ台を設け、回転板の回転を、ベアリングを介して、載せ台に伝達するとともに、回転伝達を、ベアリングの内外レースの上下差による空間を利用し、遮断可能とする構成としたターンテーブルにおいて、
ケーシングの上面に設けた回転駒の下面ベースに、回転板の嵌合孔を嵌合し、回転板を、ケーシングの上面に、回転自在に架承するとともに、下面ベースの内部に設けた空胴部で、回転駒とケーシングの間の隙間を形成し、また、回転駒の上面ベースの内部に設けた空胴部と、載せ台と回転板との間に形成された空間部とを連ねる構造としたターンテーブルである。
【００２６】
従って、請求項１は、下記「イ」と「ロ」、並びに「へ」を達成できる特徴がある。
「イ」  回転駒の上下面ベースに、空洞部を形成することで、摩擦面積の減少化と、空気の流通を利用して、熱の放散が図れること、等である。
「ロ」  安全装置は、トルクリミッターとしての役割と、載せ台にスリップ特性を発揮できる構造、即ち、この載せ台の裏面側に、転がり軸受け（ベアリング機構）を採用し、この載せ台、及び／又は、ケースに対する荷重が、決められた以上になると、この転がり軸受けが働き、当該載せ台の回転が止まり、安全を確保できる。
「へ」  ＯＮ、ＯＦＦ、又は速度等の制御装置を、ケーシングより分離し、壁掛け方式、携帯方式、或いは遠隔方式等とすることで、例えば、遠隔・延長を可能となること、或いはコンパクトに操作ができること、自動運転が図れること、等により利用分野を拡充できる。
【００２７】
請求項２の発明は、請求項１に記載のターンテーブルにおいて、
ケーシングの下面の環状鍔部に、防滑用の被膜層を設ける構成としたターンテーブルである。
【００２８】
従って、請求項２は、前記「イ」と「ロ」、並びに「へ」と、下記の「ハ」の特徴がある。
「ハ」  ケーシングの下面の環状鍔部に、防滑用の被膜層を設ける構成とし、回転板に、余分のトルク、又は荷重が掛かった場合においても、回転板は停止しないので、回転板に起因する事故の回避できる。例えば、この被膜層は、ショーアーゴム硬度６５度Ａスケールを、環状鍔部、又はその底面に、０．３〜０．５ｍｍの厚みのスプレーウレタンコーティング施工することで、摩擦力増大と、耐震性能を発揮できる。そして、コーティングなしの場合と比べると１０倍の安全性が計算できる特性の達成を意図する。尚、この意図は、同様に、載せ台とケースに対しても可能となる。
【００２９】
請求項３の発明は、請求項１に記載のターンテーブルにおいて、
隙間と、ケーシングの上面に設けた、モーターの出力軸用の開口とを連通する構成としたターンテーブルである。
【００３０】
従って、請求項３は、前記「イ」と「ロ」、並びに「へ」と、下記の「ト」の特徴がある。
「ト」  モーターと制御装置を繋ぐ電気配線・結合部は、ワンタッチコネクターを使用して簡素化を図りつつ、施工安全性を確保すること、等を意図する。
【００３１】
請求項４は、請求項１に記載のターンテーブルにおいて、
載せ台には、二重の環状収容部を備えた多目的ケースを設け、ケースの収容部に、水と金魚・魚、虫、又は、花、装飾品、展示品を収容する構成としたターンテーブルである。
【００３２】
従って、請求項４は、前記「イ」と「ロ」、並びに「へ」と、下記の「チ」の特徴がある。
「チ」  ケーシング、ケース等の形状を、丸形、角形、その他の形状とし、利用分野を拡充と、多様化が図れる。
【００３３】
請求項５の発明は、請求項１に記載のターンテーブルにおいて、
回転駒は、アルミニューム、鉄でなる金属製の本体部と、本体部を囲繞し、かつ下面ベースの内部に空胴部を、また上面ベースの内部に空胴部を、それぞれ形成し、空胴部には、本体部が膨出形成される構成としたターンテーブルである。
【００３４】
従って、請求項５は、請求項１と同じ特徴が達成できる。
【００３５】
請求項６の発明は、請求項１、又は請求項４に記載のターンテーブルにおいて、
ケーシング、回転板、及びケースを樹脂で形成する構成としたターンテーブルである。
【００３６】
従って、請求項３は、前記「イ」と「ロ」、並びに「へ」と、下記の「ニ」と「ホ」の特徴がある。
「ニ」  使用目的により移動し易く、又は分解、組付けが、簡単かつ容易であり、さらに多様化が図れること、又は必要により、回転・速度等の制御の遠隔化が図れること、等である。
「ホ」  装置全体は、樹脂等の軽量材料（装置全体の重量比で、略９０％）で形成し、軽量化と持運びの容易化と、コストの低廉化が図れる。そして、また、回転板の回転・速度等の制御において、回転変速・目標設定回転を、例えば、ダイヤル式を採用し、装置と操作の簡素化・時間設定の容易化を図ること、又は必要により、この時間設定は、４段階のタイマーを使用し、簡便化と、誤操作を回避できる。
「ト」  モーターと制御装置を繋ぐ電気配線・結合部は、ワンタッチコネクターを使用することで簡素化が図れ、かつ施工安全性を確保できること、等である。
【図面の簡単な説明】
【００３７】
【図１】ターンテーブルの俯瞰図
【図２】ターンテーブルの断面図
【図３】ターンテーブルを分解して示した俯瞰図
【図４】ターンテーブルを分解して示した仰視図
【図５】ターンテーブルの回転板と、回転駒との関係を分解して示した要部拡大俯瞰図
【図６】回転駒の仰視図
【図７−１】ターンテーブルの載せ台の要部の裏面図
【図７−２】ターンテーブルの載せ台の要部の一部省略の拡大断面図
【図７−３】図７−１の要部の拡大裏面図
【図８】ターンテーブルの使用状態の一例を示した模式図
【図９】ターンテーブルの使用状態の他の例を示した模式図
【発明を実施するための形態】
【００３８】
以下、本発明の一実施例を説明する。
【００３９】
図中、１は樹脂製（必要により、アルミ製、木製も可能）でなる円形（方形も可能である）のケーシングで、このケーシング１の環状鍔部１００（環状鍔部１００の全体）、又はその底面１ａには、この被膜層は、ショーアーゴム硬度６５度Ａスケールを、０．３〜０．５ｍｍの厚みのスプレーウレタンコーティング施工し、被膜層２を設ける。この被膜層２を設けることで、例えば、摩擦力増大と、耐震性能を発揮できる。従って、この被膜層２を設けない構造に比し、略１０倍の安全性が計算できる特性の達成を意図する。この実施例のように、環状鍔部１００とすることで、前記摩擦力増大と、耐震性能を発揮できる。
【００４０】
このケーシング１の天板１０１の下面にはモーター３が支持されており（支持機構は図示せず）、このモーター３の出力軸３００が、天板１０１に設けた孔１０２を通過し、上面１ｂより突出する。５は、天板１０１の孔１０２と出力軸３００との間に形成された隙間である。また、モーター３から電源に接続するためのコード３０２が延出されている。
【００４１】
このケーシング１の上面１ｂ（天板１０１の上面１０１ｂと同じ）には、回転駒６（連結兼回転用の冶具）が設けられている。この回転駒６は、貫通孔７００と、この貫通孔７００と直交、かつ連通する細径部に設けた横孔７０１を備えた円形駒形（上部が細径部、下部が太径部となる）の芯金７と、この芯金７に融着された樹脂製でなる円形駒形の台座８（上部が細径部、下部が太径部となる）とで構成されている。そして、この台座８の上面８ａと芯金７の上面７ａ（回転駒６の上面ベースとする）との間には、段差の空洞部１０（空隙部）が形成されている。また、台座８の下面８ｂと芯金７の下面７ｂ（回転駒６の下面ベースとする）との間には、段差の空洞部１１（空隙部）が形成されている。尚、前記台座８の上部の細径部には前記横孔７０１に連通する螺孔８００が形成されている。そして、この台座８には、後述する回転板１２を架承する嵌合部８０１と、座面８０２を有する。尚、回転駒６は、後述する回転板１２と、載せ台、及びケース、並びに陳列品、金魚、魚等の遊戯品、又は花等の装飾品による収容物の荷重を支える必要があることから、例えば、スラスト荷重とラジアル荷重を支える大きな役割を担うことに鑑み、融着加工形状及び強度的に満足できる方法を採用する。例えば、芯金７と表面樹脂となる台座８は、一体化して強度的にも、合成的にも安定した構造とし、アルミ製（アルミ材）の芯金７を採用するとともに、アルマイト加工を施し、錆びの発生を防止した、所謂、ハイブリット商品を採用する。また、芯金７の素材は、鉄、鋳物等の金属でも可能であるが、軽量化と、樹脂との融合性を考慮し、アルミ材とする。また、木材も可能である。
【００４２】
前記回転板１２の中心には、前記回転駒６の嵌合部８０１が挿嵌される方形状の嵌合穴１２００が開設されており、この嵌合穴１２００には、出力軸３００に嵌着された回転駒６が嵌着されることで、モーター３の回転が回転板１２に伝達される構造である。尚、出力軸３００に設けた溝３０１には、台座８に設けた螺孔８００より螺入された止め螺子１３が、芯金７の横孔７０１を通過して緊締される。これにより、出力軸３００と、回転駒６（芯金７と台座８）が一体化される。そして、モーター３の回転が、回転板１２に伝達され、かつこのスピードは、後述するＯＮ、ＯＦＦ、又は速度等の制御装置で制御される。また、図示しないタイマーで、その回転時間が制御される。さらに遠隔操作も可能である。そして、この回転板１２の嵌合穴１２００を、回転駒６の嵌合部８０１が挿嵌することで、この回転駒６に、回転板１２が架承される。この架承時に、回転駒６の座面８０２の下面（台座８の下面８ｂ）は、ケーシング１の上面１ｂに接触するが、この空胴部１１は接触しないことで、この回転駒６の回転抵抗を軽減できることと、この空胴部１１は、ケーシング１の孔１０２と出力軸３００との隙間Ａと連通することで、外気との流通が図れ、熱の放散を図り、回転駒６、ケーシング１の熱の蓄積を回避、又は熱による回転駒６、ケーシング１等の損傷、或いは騒音発生等を回避する。また、この回転駒６の空胴部１０は、後述する載せ台で形成される空間部（ベアリングの高さの空間Ｂ）に連通されて、芯金７、及び／又は、回転軸３００等に発生する熱の放散を図り、回転駒６、載せ台、ベアリング、グリス等の熱の蓄積回避と、これらの熱による損傷回避等を図る。
【００４３】
図中、１６は円形状の載せ台で、この載せ台１６は、望ましくは、回転板１２より大径を基本とし、載せ台１６、又は後述する収容部に接触した場合には（回転板１２に接触したか否かに関係なく）、この載せ台１６、及び収容部が停止し、安全が確保されること、又は回転板１２の機材に挟まれないこと、怪我をしないこと等により、安全性を確保すること、等にある。その他体裁の確保と、装置の安定性を確保すること、等を意図する。この載せ台１６の下面１６ａには、ベアリング２０を設ける構造であるが、この例では、内レース２０００を、載せ台１６の下面１６ａに固止し、この内レース２０００に設けた多数の球体２００１を介して、外レース２００２を、この載せ台１６の下面１６ａより離間Ｓ１（隙間）して設ける。内レース２０００の下面２０００ａに対して、外ケース２００２の下面２００２ａが、下側に設けられる構造である。従って、載せ台１６を、回転板１２に載架した際に、外レース２００２が回転板１２の上面１２ａに接触するが、内レース２０００の下面２０００ａは、回転板１２の上面１２ａより離間Ｓ２（隙間）する（上下差を作る）構成である。この構造（上下差による空間）により、回転板１２の回転時においても（回転伝達時において）、載せ台１６、又は収容部が停止する構造である。例えば、載せ台１６、又は収容部の金魚、花等の商品に接触するか、又は停止を意図し、停止操作した場合の如く、決められた以上の荷重か、又はトルクが負荷されると、球体２００１と、内レース２０００と外レース２００２とのスリップが作用し、載せ台１６への回転伝達が遮断されることから、遊戯品（遊戯用具）、子供Ｃ、人Ｄ等の保護と、安全性が確保される構造である。勿論、この荷重（負荷）が無くなると、載せ台１６、ケースは、再び回転を始める。
【００４４】
この載せ台１６の中心に設けた孔１６００には、芯金７の貫通孔７００に設けた螺孔７００ａに螺着した止め具２１が遊嵌されており、この載せ台１６は、外レース２００２と回転板１２との接触摩擦で回転される構造である。尚、２２はナットで、芯金７の上面７ａ設けられており、載せ台１６の回転板１２への圧着解除（載せ台１６の過負荷「荷重」時の停止）を図る。従って、少なくとも、この載せ台１６に、荷重等が掛かっても、回転板１２、及びこの止め具２１の回転が、載せ台１６には伝わらない構造となっている。
【００４５】
図中、２３は制御装置で、この制御装置２３は、モーター３の全てを制御し、回転板１２のＯＮ、ＯＦＦ、その切替え、スピードコントロール、電気配線・結合部の故障等を図る。また、この電気配線・結合部に、ワンタッチコネクターを使用することで、装置の簡素化を図る。
【００４６】
図中２５はケースで、各図は、このケース２５として、好ましい一例を示しており、二重の環状収容部２５００を備えた多目的ケースである。この収容部２５００に、水と金魚・魚、虫等の生き物、昆虫、又は小動物を収容して、遊戯品を保護する。また、この際に、子供Ｃの安全性を確保する。また、図９の花等の装飾品、展示品を、収容部２５００に収容し例では、例えば、人Ｄに美感と優しさ、又は安らぎを付与できる特徴がある。また、図８、図９の如く、制御装置２３を、ターンテーブル（ケーシング１）とは、分離された構造とすることで、使用、設置の簡便化、安全性、スマート性の確保と、又は美感の向上、或いは、遠隔操作等を図る上での有利性がある。しかし、一例であり、限定されない。
【００４７】
また、本発明のターンテーブルは、様々な用途に使用することができ、例えば、収容部２５００を、観賞用水槽（例えば、図８の例である）、廻る水族館、廻る花壇（例えば、図９の例である）、図示しない、廻るウェディングケーキ台、中華食事台、プラモデル・時計・携帯電話台等のターンテーブルとして使用可能である。
【００４８】
そして、前述した各実施例は、好ましい一例を示したものであり、同様な効果と特徴を有する他の構造は、本発明の範疇である。
【符号の説明】
【００４９】
１            ケーシング
１ｂ          上面
１ａ          底面
１００        環状鍔部
１０１        天板
１０１ｂ      上面
１０２        孔
２            被覆層
３            モーター
３００        出力軸
３０１        溝
３０２        コード
５            隙間
６            回転駒
７            芯金
７００        貫通孔
７００ａ      螺孔
７０１        横孔
７ａ          上面
７ｂ          下面
８            台座
８００        螺孔
８０１        嵌合部
８０２        座面
８ａ          上面
８ｂ          下面
１０          空胴部
１１          空胴部
１２          回転板
１２ａ        上面
１２００      嵌合孔
１３          止め螺子
１６          載せ台
１６ａ        下面
１６００      孔
２０          ベアリング
２０００      内レース
２０００ａ    下面
２００１      球体
２００２      外レース
２００２ａ    下面
２１          止め具
２２          ナット
２３          制御装置
２５          ケース
２５００      収容部
Ａ            隙間
Ｂ            空間
Ｃ            子供
Ｄ            人
Ｓ１          離間
Ｓ２          離間
【図１】
2012223450.tif 000003
【図２】
2012223450.tif 000004
【図３】
2012223450.tif 000005
【図４】
2012223450.tif 000006
【図５】
2012223450.tif 000007
【図６】
2012223450.tif 000008
【図７−１】
2012223450.tif 000009
【図７−２】
2012223450.tif 000010
【図７−３】
2012223450.tif 000011
【図８】
2012223450.tif 000012
【図９】
2012223450.tif 000013